(57)【特許請求の範囲】
【請求項１】
インクタンクにおけるインク残量が所定量より少なくなったか否かを検出するためのインク残量検出装置であって、
前記インクタンクに設けられ、前記インクタンク内のインク残量が前記所定量より少ないときの光反射率が、前記インクが所定量以上であるときの光反射率より高くなる反射体と、
前記反射体に入射させる光を発生する発光手段と、
前記反射体から反射された反射光を受光し、受光した反射光の光量に応じた出力信号を発する受光手段と、
前記発光手段の発光強度を複数段階に切り替える発光制御を実行する制御手段と、
前記受光手段から出力される出力信号に基づいて前記インクタンク内のインク残量が前記所定量に達したか否かを判断する判断手段と、を備え、
前記判断手段は、前記発光手段から発せられる複数段階の光の中のうち少なくとも２つの段階における光の各々に応じて前記受光部から出力される出力信号の差が一定値以上に達したか否かを判断し、
前記制御手段は、前記判断手段によって前記出力信号の差が一定値以上に達したと判断されたとき、前記発光手段を前記２つの段階における光よりも強い発光強度の光に切り替え、
前記判断手段は、前記発光素子から発生させた前記強い発光強度の光に応じて前記受光部から出力された出力信号の値が、予め定めた閾値に達した際に、インク残量が前記所定量に達したと判断することを特徴とするインク残量検出装置。
【請求項２】
前記制御手段は、前記インクタンクの製造日から現在に至る経過期間に応じて、前記複数段階の中の少なくとも一つの段階における発光強度を高めることを特徴とする請求項１に記載のインク残量検出装置。
【請求項３】
前記インクタンクに設けられた記憶素子に記憶された製造日を読み取る読取手段をさらに備え、
前記制御手段は、前記記憶素子か読み取った前記インクタンクの製造日から現在までの経過期間を算出することを特徴とする請求項１または２に記載のインク残量検出装置。
【請求項４】
前記発光手段は、発光ダイオードと、前記発光ダイオードに流れる電流を制限する電流制限抵抗と、前記発光ダイオードに前記電流制限抵抗を介して電圧を印加する電源とからなり、
前記制御手段は、前記電流制限抵抗の値を切り替えることにより前記発光ダイオードの発光強度を切り替えることを特徴とする請求項１ないし３のいずれか１項に記載のインク残量検出装置。
【請求項５】
前記反射体は、前記インクタンクと一体に設けられた透明材料により構成され、前記透明材料の屈折率は１．４０以上１．８７未満であることを特徴とする請求項１ないし４のいずれか１項に記載のインク残量検出装置。
【請求項６】
前記反射体は、直角二等辺三角形の断面形状をなす三角柱形状をなし、互いに直交する２つの反射面がインクタンクの内部に突出し、前記２つの反射面が直交する稜線に対向する底面がインクタンクの外側に向くように配置されており、
前記発光素子から発生させた光は、前記底面に対して直角に入射し、
前記受光部は、前記２つの反射面にて反射された反射光を受光することを特徴とする請求項１ないし５のいずれか１項に記載のインク残量検出装置。
【請求項７】
前記制御手段は、前記発光素子の発光時間が一定時間経過するごとに前記発光手段の発光強度を高めることを特徴とする請求項１ないし６のいずれか１項に記載のインク残量検出装置。
【請求項８】
前記発光手段の発光強度を前記インクタンクの周囲の環境温度に基づいて制御することを特徴とする請求項１ないし７のいずれか１項に記載のインク残量検出装置。
【請求項９】
前記インクタンクの基準となる使用姿勢に対する現在のインクタンクの使用姿勢の傾きを検出する検出手段をさらに設け、前記検出手段によって検出された傾きに応じて、前記発光素子の発光強度を制御することを特徴とする請求項１ないし８のいずれか１項に記載のインク残量検出装置。
【請求項１０】
インクタンクにおけるインク残量が所定量より少なくなったか否かを検出するためのインク残量検出装置であって、
前記インクタンクに設けられ、前記インクタンク内のインク残量が前記所定量より少ないときの光反射率が、前記インクが所定量以上であるときの光反射率より高くなる反射体と、
前記反射体に入射させる光を発生する発光手段と、
前記発光手段の発光強度を複数段階に切り替える発光制御を実行する制御手段と、
前記反射体から反射された反射光を受光し、受光した反射光の光量に応じた出力信号を発する受光手段と、
前記受光手段から出力される出力信号に基づいて前記インクタンク内のインク残量が前記所定量に達したか否かを判断する判断手段と、を備え、
前記受光手段は、前記反射体に膜が形成されている場合、前記反射体に前記発光手段が前記複数段階の光を入射した際の少なくとも２つの段階における光の各々に応じた出力信号を出力し、
前記判断手段は、前記２つの段階における光の各々に応じた出力信号の差が、一定値以上に達したか否かを判断することを特徴とするインク残量検出装置。
【請求項１１】
インクタンクに設けられ、前記インクタンクのインク残量が前記所定量より少ないときの光反射率が、前記インクが所定量以上であるときの光反射率より高くなる反射体と、
前記反射体に入射させる光を発生する発光手段と、
前記反射体から反射された反射光を受光し、受光した反射光の光量に応じた出力信号を発する受光手段と、を備え、前記受光手段が、前記反射体に膜が形成されている場合、前記反射体に前記発光手段が前記複数段階の光を入射した際の少なくとも２つの段階における光の各々に応じた出力信号を出力するインク残量検出装置に用いられる、インクタンクに貯留されているインクが所定量より少なくなったか否かを検出するためのインク残量検出方法であって、
前記発光手段の発光強度を複数段階に切り替える発光制御を実行する制御工程と、
前記受光手段から出力される出力信号に基づいて前記インクタンクのインク残量が前記所定量に達したか否かを判断する判断工程と、を備え、
前記判断手段は、前記２つの段階における光の各々に応じて前記受光部から出力される出力信号の差が、一定値以上に達したか否かを判断することを特徴とするインク残量検出方法。
【請求項１２】
インクを貯留するインクタンクと、前記インクタンクから供給されたインクを吐出する記録ヘッドと、前記インクタンクに貯留されているインクが所定量より少なくなったか否かを検出するインク残量検出手段と、を備えたインクジェット記録装置において、
前記インク残量検出手段は、
前記インクタンクに設けられ、前記インクタンクのインク残量が前記所定量より少ないときの光反射率が、前記インクタンクのインクが所定量以上であるときの光反射率より高くなる反射体と、
前記反射体に入射させる光を発生する発光手段と、
前記発光手段の発光強度を複数段階に切り替える発光制御を実行する制御手段と、
前記反射体から反射された反射光を受光し、受光した反射光の光量に応じた出力信号を発する受光手段と、
前記受光手段から出力される出力信号に基づいて前記インクタンクのインク残量が前記所定量に達したか否かを判断する判断手段と、を備え、
前記受光手段は、前記反射体に膜が形成されている場合、前記反射体に前記発光手段が前記複数段階の光を入射した際の少なくとも２つの段階における光の各々に応じた出力信号を出力し、
前記判断手段は、前記２つの段階における光の各々に応じて前記受光部から出力される出力信号の差が、一定値以上に達したか否かを判断することを特徴とするインクジェット記録装置。
【請求項１３】
前記発光手段の発光強度の放射束は0.1〜10mWの間で用いられることを特徴とする請求項１ないし９のいずれか１項に記載のインク残量検出装置。
【発明の詳細な説明】
【技術分野】
【０００１】
本発明は、インクタンク内のインク残量を検出するインク残量検出装置、インク残量検出方法、およびインク残量検出機能を備えたインクジェット記録装置に関する。
【背景技術】
【０００２】
インクジェット記録装置に供給するインクを貯留するためのインクタンクには、現在、様々な形態のものが知られている。例えば、インクタンクのインク貯留形態には、内部に収納したスポンジにインクを浸透させることでインクを貯留するスポンジ方式、内部に直接インクを貯留させた生タンク方式、インクを可撓性の袋に貯留した袋方式などがある。このうち、スポンジ方式はスポンジを入れることから、容積に対するインクの貯留量が少なく、また、袋方式にあってはインクを収納する袋をケーシングで保護する必要があるため、全体の容積に対するインク貯留量は少ない。容積効率が最も良いのは、生タンク方式である。但し、生タンク方式を採るインクタンクにあっても、内部に貯留されているインク残量の検出機能において以下のような課題がある。
【０００３】
一般に、インクジェット記録装置では、インク残量が一定の閾値量に達した時点で、ユーザに対する警告、インクジェト記録装置の動作停止などを行う機能が設けられている。このような警告機能、動作停止機能などは、インク不足による記録不良の発生を防止する上で重要な役割を果たす反面、一定量のインクが残留しているにも拘わらず、そのインクを使用できないことにユーザが不満を覚えることもある。こうした不満を解消するためには、少量のインクをばらつきなく、正確に検出可能できる残量検出装置が必要となる。
【０００４】
現在、インクタンク内のインク残量を検出する残量検出装置としては、ドットカウント方式、フロート方式、プリズム方式がある。ドットカウント方式はインクの吐出回数を画像データに基づいてカウントし、そのカウント値からインク残量を算出する方式であり、部品の追加が不要になるという利点がある。しかし、記録ヘッドの温度変化や製造上のばらつきなどによりノズルの吐出量にばらつきが生じ、実際のインク消費量と計算上のインク消費量に大きな差が生じることがある。
【０００５】
また、フロート方式はタンク内に液面の高さによって移動するフロートを入れ、光学センサによりフロートの位置を読み取るという構成上、大きなスペースを必要とすると共に、少量のインク検出には適さないという課題がある。
【０００６】
一方、プリズム方式は、インクタンクの内部に三角柱状の透明な樹脂部材からなるプリズムを設け、プリズムに照射した光の反射光の有無を検出することによってインクの有無を検出する方式である。プリズムへの光の照射、反射光の検出は、発光素子と受光素子を備えた光センサによって行う。このプリズム方式において、発光素子からプリズムに向けて照射された光はインクタンク内部とプリズムとの界面に４５°の角度で入射する。界面に４５°の角度で入射された光は屈折率の差から、樹脂とインクの界面では透過し、樹脂と空気の界面では反射される。その結果、インク有りの時は受光素子が光を検出できず、インク無しの時は光が反射され、その反射光が受光素子に受光される。従って、受光素子からの出力信号によってインクタンクにおけるインクの有無を検出することができる。
【先行技術文献】
【特許文献】
【０００７】
【特許文献１】特開２０００−７１４７号公報
【特許文献２】特開２００３−８９２１８号公報
【発明の概要】
【発明が解決しようとする課題】
【０００８】
上記のように、プリズム方式では液面の位置を直接的に検出するため、ドットカウントよりも精度が良く、しかもプリズム自体は樹脂で他の部材と一体成形することが可能であるためリサイクル性も良く、小型に形成することができるという利点がある。  
しかしながらプリズム方式にあっても、次のような課題がある。すなわち、インクタンクが長期間静止状態で置かれていた場合、プリズム表面にインクが付着することがあり、その結果、インクタンク内のインクが空になっていてもプリズム表面に付着したインクによってインク有りと誤検出されることがある。このような誤検出を避けるための対策として発光強度を上げることが考えられる。しかし、強い発光強度を維持しつつインク残量検出を行うと発光素子の寿命が大幅に低下するという課題がある。また、発光素子に負荷を増大させない方法として、プリズムの表面に接していたインクをスムーズにプリズム表面排除するべく、プリズム表面に撥水剤を塗布することも行われている。しかし、プリズム表面に精密に撥水剤を塗布することは困難であり、製造工程が複雑化しインクタンクのコスト増大を招くという問題がある。
【０００９】
また、撥水剤を用いない方法として特許文献１の発明には、プリズムの横に溝を形成し、その毛管力でプリズム表面のインクを引き込み除去することを行う技術が開示されている。しかし、特許文献１に開示の技術では、プリズムの横に微細な溝を成形することは困難であり、実現性や精度上の問題を克服しなければならない。
【００１０】
さらに、特許文献２には受光センサが受け取った情報から最も反射率の低いインクタンクからの反射光を検出できるように発光素子の発光強度を高い強度に定める技術が開示されている。しかしながら、特許文献２に開示の技術では、反射率の低いインクタンクだけでなく、反射率の高いインクタンクにまで高い強度の光を発光させることとなり、発光素子の寿命が著しく低下するという問題がある。
【００１１】
本発明は、インクタンクに設けた反射面に光を照射する発光部と反射面からの反射光を受光する受光部とを用い、インクタンク内のインク残量が一定量に達したか否かを、投光部の寿命低下を軽減しつつ正確に検出できるインク残量検出装置の提供を目的とする。
【課題を解決するための手段】
【００１２】
上記目的を達成するため、本発明は以下の構成を有する。
【００１３】
すなわち、本願第１の形態は、インクタンクにおけるインク残量が所定量より少なくなったか否かを検出するためのインク残量検出装置であって、前記インクタンクに設けられ、前記インクタンク内のインク残量が前記所定量より少ないときの光反射率が、前記インクが所定量以上であるときの光反射率より高くなる反射体と、前記反射体に入射させる光を発生する発光手段と、前記反射体から反射された反射光を受光し、受光した反射光の光量に応じた出力信号を発する受光手段と、前記発光手段の発光強度を複数段階に切り替える発光制御を実行する制御手段と、前記受光手段から出力される出力信号に基づいて前記インクタンク内のインク残量が前記所定量に達したか否かを判断する判断手段と、を備え、前記判断手段は、前記発光手段から発せられる複数段階の光の中のうち少なくとも２つの段階における光の各々に応じて前記受光部から出力される出力信号の差が一定値以上に達したか否かを判断し、前記制御手段は、前記判断手段によって前記出力信号の差が一定値以上に達したと判断されたとき、前記発光手段を前記２つの段階における光よりも強い発光強度の光に切り替え、前記判断手段は、前記発光素子から発生させた前記強い発光強度の光に応じて前記受光部から出力された出力信号の値が、予め定めた閾値に達した際に、インク残量が前記所定量に達したと判断することを特徴とする。
また、本発明の第２の形態は、インクタンクにおけるインク残量が所定量より少なくなったか否かを検出するためのインク残量検出装置であって、前記インクタンクに設けられ、前記インクタンク内のインク残量が前記所定量より少ないときの光反射率が、前記インクが所定量以上であるときの光反射率より高くなる反射体と、前記反射体に入射させる光を発生する発光手段と、前記発光手段の発光強度を複数段階に切り替える発光制御を実行する制御手段と、前記反射体から反射された反射光を受光し、受光した反射光の光量に応じた出力信号を発する受光手段と、前記受光手段から出力される出力信号に基づいて前記インクタンク内のインク残量が前記所定量に達したか否かを判断する判断手段と、を備え、前記受光手段は、前記反射体に膜が形成されている場合、前記反射体に前記発光手段が前記複数段階の光を入射した際の少なくとも２つの段階における光の各々に応じた出力信号を出力し、前記判断手段は、前記２つの段階における光の各々に応じた出力信号の差が、一定値以上に達したか否かを判断することを特徴とする。
【００１４】
本願の第３の形態は、インクタンクに設けられ、前記インクタンクのインク残量が前記所定量より少ないときの光反射率が、前記インクが所定量以上であるときの光反射率より高くなる反射体と、前記反射体に入射させる光を発生する発光手段と、前記反射体から反射された反射光を受光し、受光した反射光の光量に応じた出力信号を発する受光手段と、を備え、前記受光手段が、前記反射体に膜が形成されている場合、前記反射体に前記発光手段が前記複数段階の光を入射した際の少なくとも２つの段階における光の各々に応じた出力信号を出力するインク残量検出装置に用いられる、インクタンクに貯留されているインクが所定量より少なくなったか否かを検出するためのインク残量検出方法であって、前記発光手段の発光強度を複数段階に切り替える発光制御を実行する制御工程と、前記受光手段から出力される出力信号に基づいて前記インクタンクのインク残量が前記所定量に達したか否かを判断する判断工程と、を備え、前記判断手段は、前記２つの段階における光の各々に応じて前記受光部から出力される出力信号の差が、一定値以上に達したか否かを判断することを特徴とする。
【００１５】
本願の第４の形態は、インクを貯留するインクタンクと、前記インクタンクから供給されたインクを吐出する記録ヘッドと、前記インクタンクに貯留されているインクが所定量より少なくなったか否かを検出するインク残量検出手段と、を備えたインクジェット記録装置において、前記インク残量検出手段は、前記インクタンクに設けられ、前記インクタンクのインク残量が前記所定量より少ないときの光反射率が、前記インクタンクのインクが所定量以上であるときの光反射率より高くなる反射体と、前記反射体に入射させる光を発生する発光手段と、前記発光手段の発光強度を複数段階に切り替える発光制御を実行する制御手段と、前記受光手段から出力される出力信号に基づいて前記インクタンクのインク残量が前記所定量に達したか否かを判断する判断手段と、を備え、前記受光手段は、前記反射体に膜が形成されている場合、前記反射体に前記発光手段が前記複数段階の光を入射した際の少なくとも２つの段階における光の各々に応じた出力信号を出力し、前記判断手段は、前記２つの段階における光の各々に応じて前記受光部から出力される出力信号の差が、一定値以上に達したか否かを判断することを特徴とする。
【発明の効果】
【００１６】
本発明においては、インクタンクの反射面に複数段階に強度を異ならせた光を入射させ、インクタンク内のインク残量が一定値に達したか否かを、各段階における反射光の光量の差分に基づいて検出する。このため、インクが反射面に付着し易い状態にあっても投光部からの発光強度を抑えつつ、インクタンク内のインク残量が一定値に達したか否かを正確に検出することが可能になり、投光部の寿命を向上させることができる。
【図面の簡単な説明】
【００１７】
【図１】本実施形態におけるインクジェット記録装置を示す斜視図である。
【図２】本実施形態におけるインク流路の概略を示す図である。
【図３】本実施形態におけるインクタンクの構成を示す断面図である。
【図４】本実施形態における制御系の概略構成を示すブロック図である。
【図５】本実施形態における発光素子の駆動回路を示す図である。
【図６】本実施形態における受光回路を示す図である。
【図７】プリズムへの入射光の挙動を示す図である。
【図８】プリズム表面のインク膜及びインク膜付近での光の挙動を示す図である。
【図９】本実施形態における発光強度の段階を示す図である。
【図１０】本実施形態における発光強度のテーブルの選択処理を示すフローチャートである。
【図１１】本実施形態における各テーブルに基づく制御動作を示すフローチャートである。
【図１２】図６に示す受光回路における光電流と検出電圧との関係を示す図である。
【図１３】製造日からの経過期間毎の発光素子順電流と受光光量との関係を示す図である。
【図１４】製造日からの経過期間毎の発光強度と受光回路検出電圧との関係を示す図である。
【図１５】本実施形態における光電流と検出電圧との関係を示す図である。
【図１６】本実施形態におけるインク残量と受光回路検出電圧との関係を示す図である。
【図１７】各発光強度における閾値到達時のインク残量を示す図である。
【図１８】各発光強度における発光素子の出力変化を示す図である。
【図１９】各発光強度における発光素子の寿命を示す図である。
【図２０】インクタンクの傾斜とインク無を検知した時のインク残量の関係を示す図である。
【発明を実施するための形態】
【００１８】
以下、図面を参照しつつ本発明に実施形態を詳細に説明する。  
【００１９】
図１に本実施形態におけるインクジェット記録装置（以下、単に記録装置という）の本体部１の外観構成を示す図である。図示の記録装置の本体部１には、インクを吐出する記録ヘッド２５が備えられると共に、記録ヘッド２５に供給するインクを貯留するインクタンク２４が本体部１に交換可能に備えられている。記録ヘッド２５には、複数のノズルが配列され、このノズル内に設けられた吐出エネルギー発生素子を画像データに応じて駆動することにより、ノズルの開口部である吐出口からインク滴を吐出するようになっている。本実施形態では、吐出エネルギー発生素子として電気熱変換素子（ヒータ）を用いている。ヒータ駆動時にはノズル内のインクは３００℃位まで急加熱されて膜沸騰を生じ、その際の気泡の発生圧力によってノズル内のインクを吐出口から吐出する。また、本体部１の背面側には記録媒体Ｐが配置され、ここから繰り出された記録媒体Ｐが記録ヘッド２５の吐出口と対向する搬送経路を移動し、外部へと排出される。
【００２０】
図２に本体部１に設けられたインクの流路構成の概略図を示す。インクタンク２４は、記録ヘッド２５よりも重力方向下方に配置されており、記録ヘッド２５と一本のインク供給流路２で連結されている。記録動作時において記録ヘッド２５内のインク２１が消費されると、記録ヘッド内の負圧が高まり、インクタンク２４内のインク２１は流路２を通って記録ヘッド２５内に吸い上げられる。これによりノズルにインクが充填される。また、インクタンク２４内のインクが消費されて行き、インクタンク２４の残量が所定量より少なくなった場合、表示あるいは音声によってユーザに警告を発したり、さらにインク残量が少なった場合、記録動作を停止させたりする必要がある。仮に、上記のような警告動作あるいは記録動作の停止制御を行なわず、インク残量が無い状態で記録動作が継続された場合には次のような問題が生じる。
【００２１】
（ｉ）流路２内のインクが消費され、空気が流路２に浸入してインクの液面とノズル面の水頭差がなくなるとノズルのインク保持力が低下し、インクがノズルから漏れて記録媒体の搬送経路や記録媒体を汚すことがある。
【００２２】
（ｉｉ）インク残量が無い状態でインクの吐出を継続すると、ノズル内のインクも枯渇し、ヒータの熱が過剰に蓄積して、ヒータの故障の原因となる。
【００２３】
従って、インク残量が無くなった場合には、警告を発したり、自動的に記録動作を停止したりすることが必要となるが、そのためには、まず、インクタンク２４内のインク残量が所定量に達した場合にこれを正確に検出する必要がある。
【００２４】
インクタンク２４内のインク残量が所定量より少なくなったか否かの検出を正確に行うために、本実施形態では光学式のインク残量検出を行なう。このため、本実施形態では、インクタンクを図３に示すように構成している。図３において、インクタンク２４はインクを貯留する液室６と、インクをインクジェット記録装置の本体部へと導入する注入口９と、液室６に貯留されているインクを毛管力により、注入口へと送るインク供給パイプ８を備える。さらに、インクタンク２４は、内部の圧力を大気圧と同等にするための大気連通口１１と、インクの残量を本体側に備えられた光学センサにより読み取るための反射体としてのプリズム１４とが備えられる。
【００２５】
液室６は、インク無し状態を検出して記録動作を停止した時点でインクの残量が最小限になるように底部に傾斜面７が形成されており、インクタンク２４の内側に配置された供給パイプ８の開口端８ａにインクが導かれるようになっている。さらに、インク無し状態の検出における僅かなばらつきに対処するため、供給パイプの開口端８ａの付近には傾斜面７より下方に窪んだ凹部７ａが形成されている。そして、開口端８ａは傾斜面７により下方に配置されている。これにより、インク無し状態の検出に若干のばらつきが発生した場合も、凹部７ａ内のインクを消費して空気が流路の中に浸入するのを回避することができる。
【００２６】
注入口９と大気連通口１１はそれぞれ輸送時には切れ込みの入ったゴム栓１２で密閉されており、これによって外気の浸入とインク漏れが防止されている。記録装置の本体部１へのインクタンク２４の装着時には、中空状の金属製の針状ジョイント部１７がゴム栓１２の切れ込みを押し分けてインクタンク２４内に侵入することによって、インクタンク２４の密閉状態が開放される。このようにして記録装置の本体部１とインクタンク２４とが連結されることにより、インクタンク２４の注入口９から針状ジョイント部１７を介して記録ヘッド２５へとインクが供給される。さらに、針状ジョイント部１８を介してインクタンク２４内の空間が大気に連通し、大気連通口１１から空気が導入される。
【００２７】
またインクタンク２４において、大気連通口１１より上部には不揮発性の記憶素子１５が設けられている。この不揮発性の記憶素子１５はＥＥＰＲＯＭ基板を有し、保護ケース１６に接着されている。インクタンク２４を本体部１に装着したとき、記憶素子１５は、図外の本体部１側の読取端子に接触して、本体部１側に設けられた後述のＣＰＵとの間で情報の読み取り、書き込みを行い得るようになっている。記憶素子１５には、インクタンク２４内に収納されているインクの色、製造年月日、製造番号などの情報の他、本体部１側から送信されるインクの消費量のデータも書き込まれる。このインクの消費量は記録した画像データから各色のインクを何回吐出したかの累計をカウントするドットカウント方式を用いて算出したデータである。また、ノズルからインクを吸引してノズルの吐出性能を回復させる回復動作時に消費されるインク量を、吐出相当の量に換算して、記録動作におけるドットカウント値に加えることも可能である。なお、このＥＥＰＲＯＭと接触する読取端子および後述のＣＰＵにより読取手段が構成されている。また、本実施形態において、記録ヘッド２５の回復動作は、記録ヘッド２５の吐出口を図２に示すキャップ６で覆い、ポンプ３によってキャップ６内に発生させた負圧によって各ノズルからインクを吸引することにより行う。これにより、ノズル内は記録に適した新たなインクで満たされ、ノズルから吸引した廃インクは廃インクタンク４へと排出される。
【００２８】
次に、本実施形態におけるインクジェット記録装置に設けられている制御系の概略構成を図４に基づき説明する。  
【００２９】
図４において、ＣＰＵ１００は、ＲＯＭ１０１に格納されているプログラムに従い、種々の演算、計数、計時、判断、制御などの処理を行い、インクジェット記録装置の各部の制御を行う。また、ＣＰＵ１００には計時動作を行うタイマが内臓されている。ＲＡＭ１０２は入力操作部１０４などから入力されたデータなどの種々のデータを一時的に格納すると共に、ＣＰＵ１００が処理を実行する際にデータを一時的に保持するワークエリアとしての役割も果たす。また、ＣＰＵ１００には、記録ヘッド２５の駆動を行うヘッド駆動回路１０６、搬送モータ１０８を駆動する搬送モータ駆動回路１０７、キャリッジモータ１１０を駆動するキャリッジモータ駆動回路１０９などが接続されている。さらに、ＣＰＵ１００は、後述の発光素子３０を駆動する発光素子駆動回路１１１、発光素子３０の反射光を受光素子４０が受光してその受光量に応じた出力信号（出力電圧）を出力する受光回路１１２が接続されている。さらに、ＣＰＵ１００には、インクジェット記録装置の状態などを表示する表示部１１３が設けられている。
【００３０】
次に、本実施形態におけるインクタンク内のインクの残量を検出する検出装置の構成および作用について詳述する。  
【００３１】
本実施形態におけるインクタンク２４には、図３に示すように、インクタンク２４インク残量が所定量より少ないときの光反射率が、インクが所定量以上であるときの光反射率より高くなる反射体としての三角柱形状のプリズム（反射体）１４が設けられている。プリズム１４はインクタンク２４の他の部分と同様の透明材料により形成されており、その屈折率は１．４０以上１．８７未満となっている。本実施形態ではプリズム１４はインクタンク２４の他の部分と一体成形可能で、リサイクルにも適している樹脂材料を用いることが望ましい。本実施形態では透明なポリプロピレンを用いている。ポリプロピレンは屈折率が１．４８であり、インクに対する接液性も良好であるため、プリズム１４の形成に適している。プリズム１４は図７に示すように直角二等辺三角形の断面形状をなしており、直交する二つの斜面１４ａ，１４ｂが交差する稜線がインクタンク２４の内壁から液室内部に向かって突出するように配置されている。なお、斜面１４ａは斜面１４ｂの下部に配置されている。
【００３２】
また、プリズム１４の外側を向いた底面、すなわち斜面１４ａ，１４ｂの稜線に対向する面１４ｃに対向して、本体部１には発光素子３０と受光素子４０とを備えた光センサ５０（図７参照）が配置されている。発光素子３０は図５に示すように発光ダイオード３０により構成され、この発光ダイオード３０のカソード側には複数の異なる抵抗Ｒ１，Ｒ２，Ｒ３，Ｒ４が並列に接続されている。発光ダイオード３０は、記録装置の本体部１から３．３Ｖ程度の電圧を印加することにより発光させることができる。本実施形態では、発光ダイオード３０は波長９００ｎｍの赤外光を発光するものとなっている。赤外光等の波長の長い光は散乱されにくく、またインクの吸収スペクトル上、吸収されにくい。この赤外光の特性は、後述のプリズム１４へのインク膜の付着に対しても有利に働く。
【００３３】
本実施形態では、複数の抵抗を切り替えて使用することにより、発光ダイオード３０の発光強度を複数段階に切換える発光制御を行うことが可能になっている。例えば、図５に示す発光ダイオード３０の駆動回路では、スイッチング素子ＳＷ１〜ＳＷ５のいずれか一つをオンさせることによって抵抗Ｒ１〜Ｒ５の中の一つを電流制限抵抗として用い、電流ＩＦを５段階に変化させ得るようになっている。これにより、発光ダイオード３０の発光強度を5段階に切り替えることができる。なお、スイッチング素子ＳＷ１，ＳＷ２，ＳＷ３，ＳＷ４，ＳＷ５の切り替えは、記録装置本体側に設けられたＣＰＵ１００によって行う。
【００３４】
発光ダイオード３０から発光された光はプリズム１４の底面に対して直角に入射して内部を透過し、図７に示すようにプリズム１４の斜面１４ａに対して４５°の角度で入射する。  
【００３５】
一般に屈折率ｎＢの物質から屈折率ｎＡの物質へ角度θmで入射した時、以下の条件が成立すれば入射した光は、両物質の界面で反射される。
sineθｍ＝sinθｍ／sin90°≧ｎA／nB      （式１）
【００３６】
ここで、本実施形態の条件を式１に当てはめると、θｍ＝４５°、ｎＢ＝１．４６（プリズムの樹脂の屈折率）であるため、プリズム１４に入射した光が斜面１４ａにて全反射される条件は、式２に示すようになる。
ｎＡ≦ｎＢ／sinθｍ＝１．４６／sin４５°＝１．０５      （式２）
【００３７】
このように、プリズム１４に隣接している物質が屈折率１．０５以下であれば、光は図７のＸの方向に反射され、１．０５未満であれば透過する（Ｙ方向に進む）。空気の屈折率が１．００であり、インクの屈折率は水に近い１．３程度であるため、プリズム１４の反射面１４ａの周囲が空気であれば入射光は反射面１４ａでＸ方向に反射される。また、反射面１４ａの周囲にインクが存在すれば入射光は反射面１４ａを透過してインク内へ進む。（Ｙ方向に進む）。さらに、反射面１４ａで反射された入射光は図７（ｄ）のように、反射面（斜面）１４ａと直交する反射面（斜面）１４ｂにおいても反射され、受光素子４０に入射する。
【００３８】
このように、発光素子からの光がプリズム１４の反射面１４ａを照射する箇所（光スポット箇所）の高さ以上の高さまでインクが貯留されている場合には、図７（ａ）に示すように、入射光は受光素子４０には入射しない。逆に、発光素子３０からの光がプリズム１４の反射面１４ａを照射する光スポット箇所よりも低い位置までインクが消費されている場合には、図７（ｂ）に示すように入射光は反射面１４ａ，１４ｂで反射され、受光素子４０に受光される。つまり、プリズム１４の光反射率は、インクが光スポット箇所以上にあるか否かによって変化することとなる。
【００３９】
次に、図６に基づき本実施形態に用いられる受光検出回路を説明する。  
【００４０】
本実施形態に用いられる受光検出回路は、フォトトランジスタにより構成される受光素子４０と、このフォトトランジスタ４０のコレクタ（Ｃ）に接続された抵抗Ｒとを備える。そして、抵抗Ｒの一端とフォトトランジスタ４０のエミッタ（Ｅ）との間には電源電圧Ｖｃｃが印加されている。
【００４１】
フォトトランジスタ４０は、その受光部がプリズム１４の反射面１４ｂからの反射光を受講し得る位置に配置されており、反射光の光量に応じた電流（光電流Ｉｃ）がフォトトランジスタ４０のコレクタ、エミッタ間に流れる。電源電圧Ｖｃｃは３．３Ｖであり、ＣＰＵ１００ではコレクタ、エミッタ間の電圧Ｖｏを検出する。検出電圧Ｖｏは、電源電圧Ｖｃｃと抵抗Ｒで生じた電圧降下との電圧差である。すなわち、Ｖｏ＝Ｖｃｃ−Ｉｒ×Ｒである。図１２に光電流Ｉｃと検出電圧Ｖｏとの関係を示す。フォトトランジスタ４０に流れる光電流Ｉｃと抵抗Ｒに流れる電流Ｉｒは同一であるため、光電流Ｉｃが大きい程、抵抗Ｒにおける電圧降下が大きくなるため、検出電圧Ｖｏは低下する。抵抗Ｒに流れる電流の最大値ＩｒｍａｘはＶ／Ｒのため、検出電圧Ｖｏは０付近（図１２では約０．３Ｖ）になると飽和し、それ以上の光電流Ｉｃが流れても検出電圧Ｖｏは低下しなくなる。つまり、フォトトランジスタ４０に、ある一定量以上の反射光が入射すると、検出電圧は殆ど同じとなる。そこで、プリズム１４からフォトトランジスタ４０の受光部４０ａへと光が入射したか否かの検出は、検出電圧Ｖｏと予め設定した閾値電圧とを比較し、検出電圧値Ｖｏが閾値電圧未満であるか否かによって行う。すなわち本実施形態では、フォトトランジスタ４０の受光部４０ａに入射する光の光量によってインクの有無を検出するようになっている。
【００４２】
但し、上記のようにプリズム１４を用いてインクタンク２４におけるインクの有無を検出する場合、プリズム１４に接しているインクの状態によっては誤検出を生じることがある。例えば、プリズム表面にインクが固着してインク膜が形成された場合、液室内のインクが無くなっても、プリズム表面に形成されたインク膜によってインク有りと検出されることがある。こうした現象は、主にインクタンク２４が長期間放置されていた場合や、表面張力の低いインクが貯留されている場合に生じ易い。図８はプリズム１４の表面にインク膜が形成された状態を示す図である。図８のように、インク膜内に入射した光はインク膜と空気との界面で反射されるか、あるいは界面を透過する。これは、図８に示すようにインク膜と空気との界面における法線が一定ではなく、入射光と法線とのなす角度である入射角が不均一になることによる。すなわち、インク膜と空気との界面に入射した光のなかでも、入射角が４５°以下となる光はインク膜と空気との界面で反射されてプリズム１４に再入射する。また、入射角が４５°未満となる光は界面を透過し、プリズム１４に再入射されない。さらに、プリズム１４の表面の一部にのみインク膜が形成される場合もあり、インク膜が形成されていない箇所に照射された光は、フォトトランジスタ４０の受光部４０ａに入射する。
【００４３】
このように、プリズム１４の表面にインク膜が形成される状況下では、受光部４０ａに入射する光量は安定せず、受光量の変動がインク残量の検出に誤差を生じさせることがある。すなわち、プリズム１４にインク膜が形成されている場合は、インク膜が形成されていない場合に比べて受光部４０ａに入射する光量が減少するため、インクタンク２４内のインクが無くなっていても、インク有りと誤検出されることがある。受光光量の減衰量はインク膜の付着の程度（膜の厚み、光のスポット箇所にかかっている面積）、インクの種類（吸光特性）、発光ダイオード３０からの光量の影響などを大きく受ける。これに対し発光ダイオード３０の発光強度を大きくして受光部４０ａの受光量も大きくすれば、プリズム１４の表面にインク膜が形成されていても受光部４０ａによる受光量を増大させることができ、誤検出を防止することができる。但し、発光強度を高くしてしまうと、発光ダイオードの劣化が早くなり、寿命が低下してしまう。
【００４４】
そこで、本実施形態では、発光ダイオードの発光強度を複数段階に切り替え可能とし、適切なタイミングのみ発光強度を高くし、プリズム１４の表面にインク膜が形成されることによる誤検出を防止し、且つ発光ダイオード３０の寿命を低減させないようにしている。
【００４５】
図９に本実施形態で用いる発光ダイオード３０の発光強度レベルを示す。本実施形態では、ＬＶ１〜ＬＶ５の５段階に発光強度を調整し得るようになっている。発光強度の調整は、図３に示す電流制限抵抗（Ｒ１〜Ｒ５）の値を切り替え、順電流ＩＦの値を切り替えることにより行う。本実施形態では、５段階の順電流ＩＦの中から３段階の順電流を選択し、選択した順電流を適時切り替えることによりインク残量の検出を行う。５段階の順電流の中から３段階の順電流を選択する処理は、インクタンク２４の製造日から現在までの経過期間に基づいて行う。すなわち、経過時間の長いインクタンク２４ほど、インク残量検出においてより強い発光強度の光が発生されるように、前述の３段階の順電流の選択を行う。インクタンク２４の経過期間は、インクタンク２４に設けられたＥＰＲＯＭ１０３に書き込まれているインクタンク２４の製造年月日と記録装置の本体部１に設けられたタイマ１０５の計測時間とに基づいて後述の制御系におけるＣＰＵ１００が算出する。また、経過時間に基づく順電流の選択、すなわち発光強度の選択は、ＣＰＵ１００が図９に示すテーブル１〜３を選択することによって行う。
【００４６】
図１０は、ＣＰＵ１００によって記録動作開始前に実行される発光ダイオード３０の発光強度を表すデータのテーブル選択処理を示す。まず、ＣＰＵ１００は、上記のＥＥＰＲＯＭ１０３からインクタンク２４の製造年月日の読み取りを行う（ステップＳ１）。次に、ＣＰＵ１００は、内蔵されたタイマによる計測時間とインクタンク２４の製造年月日とを比較して、インクタンク２４の製造からどれだけの期間が経過しているかを算出する（ステップＳ２）。この後、経過した期間に基づき、ＣＰＵ１００は、発光ダイオード３０の発光強度を弱、中、強の３段階に変化させるためのテーブルを、３種類のテーブル１〜３の中から選択する。すなわち、経過期間が１ヶ月未満であれば、図９に示すテーブル１を選択し（ステップＳ３，Ｓ４）、１ヶ月以上６ヶ月未満であればテーブル２を選択し（ステップＳ５，Ｓ６）、６ヶ月以上ならばテーブル３を選択する（ステップＳ６，Ｓ７）。
【００４７】
上記ステップＳ１からＳ７の処理によりテーブル１が選択された場合には、弱の発光強度としてＬｖ１が、中の発光強度としてＬｖ２が、強の発光強度としてＬｖ３がそれぞれ設定される。なお、発光強度Ｌｖ１は、発光ダイオード３０における順電流ＩＦを１０ｍＡとすることによって得られる発光強度である。また、発光強度Ｌｖ２はＩＦを２０ｍＡ、発光強度Ｌｖ３はＩＦを３０ｍＡ、発光強度Ｌｖ４はＩＦを３５ｍＡ、発光強度Ｌｖ５はＩＦを５０ｍＡにそれぞれ設定することで得られる発光強度である。従って、テーブル１が選択された場合には、弱、中、強の３段階の発光強度を得るために１０ｍＡ，２０ｍＡ，３５ｍＡの電流が設定される。また、テーブル２が選択された場合には弱、中、強の発光強度を得るために１０ｍＡ，３５ｍＡ，５０ｍＡの電流が設定され、テーブル３が選択された場合には弱、中、強の発光強度を得るために１０ｍＡ，５０ｍＡ，１００mＡの電流が設定される。このように、本実施形態では、長期間経過しているインクタンク２４ほど強い発光強度を用いている。これは、インクが長期間プリズムに接触しているほど、プリズム１４の表面にインクが付着し易いからである。本実施例においては発光ダイオード３０から発光される光量は放射束において、Lv１は0.4mW、Lv2は0.9mW、Lv3は1.5mW、Lv4は2.4mW,Lv5は5.2mWである。ここで放射束を単位として用いた理由は、本発明で用いる発光素子は赤外光等視認できない光も含まれるため、視認性の影響の出る照度などの単位を用いるよりも、波長に関係ない光の量である放射束を用いた方が適切と判断したからである。
【００４８】
次に、記録動作中のインクタンク２４のインク残量検出について説明する。  
【００４９】
記録動作中は、発光ダイオード３０の発光強度を図１１のフローチャートに示すように弱、中、強の３段階に適時切り替えてインクタンク２４内のインク残量を検出する。まず、ステップＳ１１では、発光ダイオード３０の発光強度を、弱と中の２段階に切り替える。この弱、中の発光強度の切り替えは１００ｍｓｅｃの周期で行う。１００ｍｓｅｃの周期で切り替える理由は、インクタンク２４から消費されるインクの体積流量の最大値が１．０ｍｌ／ｓｅｃであるため、１００ｍｓｅｃの周期で切り替えを行えば０．１ｍｌ程度の誤差でインク残量を検出でき、充分な検出精度が得られるためである。なお、発光ダイオードの電流制限抵抗の切り替え（スイッチング素子ＳＷ１〜ＳＷ５）は１０ｍｓｅｃ以下の周期で行うことが可能であり、受光素子であるフォトトランジスタ４０の応答速度も０．０１ｍｓｅｃ程度である。このため、さらに速い周期で切り替えれば、さらに高い検出精度を求めることも可能である。
【００５０】
この後、ステップＳ１２では、フォトトランジスタ４０の出力電圧（フォトトランジスタ４０のコレクタ・エミッタ間電圧）が予め定めた閾値以下となったか否かを判断し、閾値電圧値以下となった場合にはインク無しと判断し、記録動作を停止させる（ステップＳ１３）。また、ステップＳ１２においてフォトトランジスタ４０の検出電圧が閾値電圧を超えると判断された場合には、ステップＳ１４に移行する。
【００５１】
ステップＳ１４では、発光強度が弱である場合の検出電圧Ｖｏと発光強度が中となる場合の検出電圧Ｖｏとを比較し、その差分（電圧差）が予め定めた一定値（例えば０．４V）に達したか否かを判断する。そして、電圧差が一定値未満であればば、インクタンク有りと判断し、記録動作を継続する。以下、ステップＳ１４で発光強度が弱である場合の検出電圧Ｖｏと発光強度が中となる場合の検出電圧Ｖｏとの電圧差が一定電圧となるまでステップＳ１４とＳ１６の処理を繰り返す。
【００５２】
また、ステップＳ１４において前記電圧差が一定値以上になったと判断された場合には、インク無しの状態、すなわちインクがプリズム１４の光スポット箇所より下側に達しているが、プリズムに膜が形成されている可能性があると判断する。この場合、ステップＳ１５において発光ダイオードの発光強度を強とする。これは、発光ダイオード１４における順電流ＩＦを図９のテーブル１，２，３のいずれかに応じて設定する。
【００５３】
以上のように本実施形態では、発光強度が弱である場合の検出電圧Ｖｏと発光強度が中となる場合の検出電圧Ｖｏとの電圧差が一定電圧となったか否かを判断し、その結果に応じてプリズムの表面にインク膜が形成されているか否かを判断している。この電位差に基づく判断が可能となる理由を以下に説明する。
【００５４】
まず、図１３を参照して、発光ダイオード１４の順電流ＩＦとその時に受光素子であるフォトトランジスタ４０に流れる光電流Ｉｃとの関係を説明する。ここでは、発光ダイオード１４からの光がプリズムの反射面１４ａに照射される位置（スポット箇所）よりもインクタンク２４内の液面の高さが低下した直後、つまりインク膜の付着が最も起こり得る状況での光電流Ｉｃの特性を示している。なお、図１３にはインクタンク２４の製造日から現在に至る経過期間ごとに順電流ＩＦと光電流Ｉｃとの関係を示している。同図から読み取れるように、順方向電流ＩＦが大きいほど、光電流Ｉｃは大きくなる。また、インクタンク２４の製造日からの期間が長いほど光電流Ｉｃが下がる傾向があり、この傾向からインク膜がプリズム表面に形成された際の影響を見ることができる。また、インクタンク２４の液面が前述のスポット箇所より低くなるインク無しの状態では、小さい順電流ＩＦ、つまり弱い発光強度でで大きな電流値Ｉｃが得られる。この結果に基づいて導き出される、発光ダイオード３０の発光強度とフォトトランジスタ４０における検出電圧（フォトトランジスタ４０のエミッタ・コレクタ間電圧）の関係を図１４に示す。
【００５５】
図１４に示すように、インクタンク２４の製造日から現在に至る経過期間が長いほど、順電流ＩＦに対するフォトトランジスタ４０の検出電圧の低下が緩やかになる。このため、ある一定の閾値分圧（例えば１．６５Ｖ）よりインク電圧が下回った時点で、インク無しとの判断を下すようにした場合、経過時間が長いインクタンク２４を用いる場合ほど、発光ダイオード３０に大きい電流を印加する必要があることが分かる。この図１４に示す結果を、フォトトランジスタ４０における光電流Ｉｃと検出電圧Ｖ０との関係に反映させた結果を図１５（ａ），（ｂ），（ｃ）に示す。なお、図１５（ａ）は１ヶ月経過したインクタンク２４を用いた場合を、同図（ｂ）は６ヶ月経過したインクタンク２４を用いた場合を、同図（ｃ）は１２ヶ月経過したインクタンク２４を用いた場合をそれぞれ示している。
【００５６】
図１５（ａ）を参照して、１ヶ月経過したインクタンク２４を使用した場合を例に採り、光電流Ｉｃと検出電圧Ｖｏとの関係を説明する。インクタンク２４内に完全にインクが無くなった状態において、発光ダイオード３０の発光強度が弱となる順電流ＩＦが１０ｍＡの時には、光電流Ｉｃは３５７μＡとなる。また、発光強度が中となる順電流ＩＦが２０ｍＡの時には、光電流Ｉｃは７１４μＡとなる。但し、光電流Ｉｃが１３μＡに達すると検出電圧は０．３Ｖに飽和した状態となり、それ以上順電流ＩＦを上げても検出電圧Ｖｏは変化しない。
【００５７】
これに対し、インク膜が形成されている領域では、発光ダイオード３０の発光強度が弱となる順電流ＩＦが１０ｍＡの時には光電流Ｉｃは３．７μＡとなり、検出電圧Ｖoは２．４９Ｖとなる。これは、前述のようにプリズム１４の表面にインク膜が形成されることによって反射光量が減衰した結果を示している。また、発光強度が中となる順電流ＩＦ＝２０ｍＡの時には、検出電圧Ｖｏ＝１．９６Ｖとなる。この場合も、インク無しの場合に比べて検出電圧Ｖｏは低下しているが、ＩＦ＝１０ｍＡの時とＩＦ＝２０ｍＡの時とでは、検出電圧に０．５３Ｖの電圧差が生じている。すなわち、この場合には、検出電圧Ｖｏが飽和領域内にないため、光電流Ｉｃの差が小さい場合にも、検出電圧Ｖｏには大きな電圧差が生じる。
【００５８】
このように、プリズム１４の表面の中で発光ダイオード３０の光が照射されるスポット箇所にインク膜が形成されている場合、弱と中の発光強度の光をプリズム１４に照射した時の検出電圧の差が、プリズム１４の表面にインクが存在しない場合に比べて大きくなる。従って、プリズム１４に対する発光強度が弱の場合の検出電圧と中の場合の検出電圧との差が一定値（０．４Ｖ）未満であれば、インクタンク２４にインクが残っていると判断する。また、電圧の差が一定値（０．４Ｖ）以上の場合には、プリズム表面にインクの膜が付着している可能性があると判断する。
【００５９】
ここで、再び図１１を参照してステップＳ１５以降の処理について説明を行う。前述のステップＳ１４において弱と中の発光強度の光をプリズム１４に照射した時の検出電圧の差が０．４Ｖ以上であると判断された場合には、プリズム１４の表面にインクの膜が付着している可能性がある。従って、この場合にはステップＳ１５において発光ダイオード３０から強強度の発光（強発光（図９））を行い、フォトトランジスタ４０の検出電圧Ｖｏが閾値電圧（１．６５Ｖ）以下であるか否かを判断する（ステップＳ１７）。
【００６０】
強発光の時の検出電圧Ｖｏが閾値電圧以下であった場合、インク無しと判断して記録動作を停止する（ステップＳ１８）。また、検出電圧Ｖｏが１．６５Ｖ以上であった場合にはインク有りと判断し(ステップＳ１９)、その後はステップＳ１５へと移行して強発光を継続する。ここで強発光を継続する理由は、弱発光時の検出電圧と中発光時の検出電圧の電圧差が０．３Ｖ以上である場合、インクタンク２４内のインクの液面がプリズム表面に照射される光のスポット箇所の一部にかかるような高さに位置する可能性もあり、より迅速な検出を行うためである。
【００６１】
１ヶ月経過したインクタンク２４の例では、強発光時の順電流をＩＦ＝３５ｍＡとしており、検出電圧Ｖ０が１．６５Ｖ以下となった時点で、インク無しと判断し、記録動作を停止した。本実施形態では弱と中の電圧差の閾値を０．４Ｖとした。閾値を０．４Ｖにしたのは、強発光をした時にプリズム以外の面にあたった光の微小な反射による光電流Ｉｃの増加等の原因で、インク有りの状態で強レベルの発光と弱レベルの発光とで０．３Ｖ程度の差が生じてしまうためである。
【００６２】
以上、製造から１ヶ月経過後のインクタンク２４に対するインク残量検出の例を説明したが、図１５（ｂ）に示す６ヶ月経過後のインクタンク２４に対するインク残量検出では、図９のテーブル２を用いる。６ヶ月経過後のインクタンク２４では、プリズム１４に対するインクの付着の程度が１ヶ月経過の場合よりも強く、順電流ＩＦに対して検出電圧Ｖｏの変化量が小さい。順電流ＩＦが１０ｍＡの場合と２０ｍＡの場合とでは、検出電圧に０．４Ｖの電圧差を得ることができない。よって、６ヶ月経過後のインクタンク２４を使用する場合には、テーブル２に設定されているように、中発光を行うための順電流ＩＦとして、３５ｍＡの電流を発光ダイオード３０に流すようにしている。これによれば、６ヶ月経過後のインクタンク２４であっても、弱発光時の検出電圧と中発光時の検出電圧との間に０．８４Ｖの電圧差を得ることが可能となる。従って、前述のように、弱発光と中発光とを繰り返し、電圧差が０．４Ｖに達した時点で、強発光を行う。強発光時の順電流はテーブル２に示すように５０ｍＡとしている。このとき、検出電圧Ｖ０は１．６５Ｖとなる。このようにインク膜の付着が強い場合も、発光強度のレベルを上げることで、インクの有無を迅速かつ正確に検出することが可能である。なお、１２ヶ月経過後のインクタンク２４においてインクの有無を検出する場合には、図９のテーブル３を選択して、中発光時、強発光時の順電流をさらに高める。すなわち、図１５（ｃ）に示すように、弱発光時の順電流ＩＦを１０ｍＡ，中発光時の順電流を２０ｍＡ，強発光時の順電流を５０ｍＡとする。これによれば、図１５（ｃ）に示すうように、弱発光時と中発光時それぞれの検出電圧との間に０．６６の電圧差を得ることができる。従って、弱発光時と中発光時それぞれの検出電圧の間に０．４Ｖ以上の電圧差が生じた時点で、強発光に切り替えることでインク残量の有無を、迅速かつ正確に検出することができる。
【００６３】
以上のように、本実施形態によれば、インクタンク２４内のインク残量が一定量以下となるまで弱発光と中発光を行い、一定量以下となった時点で高精度な検出が可能な強発光を行うようにしている。これによれば、常に強発光を行なっている従来のインク残量検出に比べ、発光ダイオード３０の寿命は大幅に延長され、しかも大きな検出動作遅れを生じることなく正確にインク無しを検出することができる。
【００６４】
図１６および図１７に、本実施形態におけるインク残量の検出動作を、製造後一ヶ月以内のインクタンク２４と、製造後６ヶ月経過のインクタンク２４とに実施した結果を示す。  
【００６５】
図１６（ａ），（ｂ）は、インクタンク２４を記録装置の本体部１に装着してインクを消費させた時のインク残量と検出電圧との関係を測定した結果を示す図である。図１６（ａ）は製造後１ヶ月以内の新品のインクタンク２４に対する測定結果である。この場合、発光ダイオード３０を駆動するための順電流の組合せとしては、図９におけるテーブル１が用いられる。また、図１６（ａ）では、本実施形態との比較対象として、弱（ＩＦ＝１０ｍＡ）、中（ＩＦ＝２０ｍＡ）、強（ＩＦ＝３５ｍＡ）の各発光強度のみで発光させた場合の測定結果も示している。
【００６６】
新品のインクタンク２４では、インクの液面の低下とほぼ同時にプリズム表面からインクがひいていくので、弱発光、中発光、強発光のいずれにおいても、検出電圧Ｖｏは最大値から最小値にかけてシャープな変化を示す。本実施形態では、弱発光時の検出電圧と中発光時の検出電圧を行き来し、図中のＡの残量に到達した時、弱発光時の検出電圧と中発光時の検出電圧との電圧差が０．４Ｖとなった。このため、このＡの残量に達した時点から強発光に切り替えている。
【００６７】
図１７（ａ）に閾値電圧（１．６５Ｖ）に到達した時のインク残量と、弱発光、中発光、強発光をそれぞれ単独で行なった際に閾値電圧に到達した時のインク残量とを表示した。図示のように、テーブル１に従って順電流ＩＦを変化させる本実施形態では、インク残量が３．８０ｍｌとなった時点で閾値電圧（１．６５Ｖ）に達している。これに対し、弱発光、中発光、強発光をそれぞれ単独で行なった場合に閾値電圧に達するインク残量は、３．６７ｍｌ，３．７７ｍｌ，３．８５ｍｌとなっている。この結果から、本実施形態によれば、強発光のみで検出を行う場合に次ぐ早いタイミングでインク無しを検出できることがわかる。
【００６８】
図１６（ｂ）は６ヶ月放置したインクタンク２４を用いて（ａ）の場合と同様の実験を行った結果を示している。このインクタンク２４ではインクがプリズム１４の表面に固着しており、液室１ａ内のインクが無くなってから、プリズム表面のインクがひけるまでに多くの時間がかる。従って、発光ダイオード３０の発光強度の違いによって、閾値の電圧に到達するまでの時間には大きな差が生じている。このインクタンク２４の場合、発光強度の変化（順電流の変化）にはテーブル２が用いられる。すなわち、弱（ＩＦ＝１０ｍＡ）、中（ＩＦ＝３５ｍＡ）、強（ＩＦ＝５０ｍＡ）とした。本実施形態との比較対象として弱、中、強それぞれの発光強度のみで発光を行った場合の結果も合わせて示している。本実施形態では、検出電圧Ｖｏが弱発光時の検出電圧と中発光時の検出電圧との間を行き来し、図中のＢの残量に到達した時、弱発光時の検出電圧と中発光時の検出電圧との電圧差が０．４Ｖとなった。この時点で発光ダイオード３０の発光強度を強発光に切り替えている。このため、弱発光、中発光のみで検出を行なった場合に比べ、大幅に早いタイミングでインク無しを検出することができる。図１７（ｂ）に閾値電圧到達時のインク残量を示した。図１７（ｂ）に示すように、弱発光、中発光それぞれを単独で行なった場合と、本実施形態による発光を行なった場合とで、閾値電圧到達時のインク残量を比較した場合、その差は、図１７（ａ）に示した場合よりも大きくなっている。つまり、本実施形態によれば、弱発光、中発光を単独で行う場合に比べてより迅速にインク無しを検出することができるが、その検出タイミングの差は、製造日からの経過時間が長いインクタンク２４ほどより顕著になる。
【００６９】
次に、発光素子の寿命曲線のグラフを図１８に示す。発光ダイオード３０は通電時間に伴い、発光体が劣化していき、出力が低下する。通常は初期状態の発光強度の８０％まで低下したところを発光ダイオード３０の寿命とする。図１８は、発光ダイオード３０を発光していき、通電時間と発光強度の関係を測定したものである。この測定では、本実施形態の制御に従って発光ダイオード３０を駆動した場合と、順電流ＩＦを、１０ｍＡ，２０ｍＡ，３５ｍＡ，５０ｍA，１００ｍＡのそれぞれに固定して駆動した場合を示している。また、本実施形態における測定は、製造日からの経過時間が１ヶ月以内の新品のインクタンク２４と、６ヶ月経過後のインクタンク２４と、１年経過後のインクタンク２４とを均等な割合で用いた平均的な条件にて行なっている。
【００７０】
図示のように、順電流ＩＦを一定にして発光ダイオード３０を駆動した場合には、発光強度が高いほど（ＩＦが高いほど）、時間当たりの出力の低下率が高い。特に、本実施形態において強発光として用いられる３５ｍA、５０ｍＡ、１００ｍＡの順電流のみで発光ダイオード３０を駆動した場合には、使用可能範囲の８０％を早期に切るようになっている。しかし、本実施形態の制御により駆動した発光素子は、図１９に示すように、弱発光（ＩＦ＝２０ｍＡ）に固定して発光させた場合に次いで、発光強度の劣化が小さいことが確認された。
【００７１】
以上の測定結果から、本実施形によって適切なタイミングで適切な光量の発光を行なうことにより、プリズム表面へのインクの付着による検出遅れはなくなり、且つ発光素子の寿命が低減されることを確認した。
【００７２】
(発明の他の実施形態)
上記実施形態では、インクタンク２４の製造日から現在までの経過期間に基づき、５段階の発光強度の中から弱、中、強の３段階の発光強度を定めるようにしている。しかし、インクが変質しにくいものである場合、あるいはインクの消費量が多くインクタンク２４が頻繁に交換されるような場合には、弱、中、強の３段階それぞれの値を固定値にしても良い。また、発光ダイオード３０の発光強度を４段階あるいは６段階以上に切り替え得るようにしてもよい。さらに、発光ダイオード３０の発光強度の切り替えは、上記実施形態のように発光ダイオード３０に接続された電流制限抵抗を切り替えるものに限らず、周知のＰＷＭ方式によって切り替えるようにすることも可能である。
【００７３】
さらに、本発明は、インクタンク２４使用中に行なう発光素子の発光強度を、弱、中、強の３段階に切り替えるものに限定されない。すなわち、発光強度を４段階以上に切り替えてインクの有無を検出するようにすることも可能である。例えば、発光強度を、弱、中弱、中、強の４段階に切り替え可能にすることも可能である。この場合、インクタンク２４使用当初は、発光素子の発光強度を２段階以上、例えば弱、中弱、中の３段階に順時切り替える制御を繰り返す。そして３段階の発光強度に伴う３つの検出電圧のうち、２つの検出電圧の電圧差が一定値に達した時点で、発光強度を強に切り替えるようにする。電圧差を求めるための２つの検出電圧の組合せとしては、例えば、弱発光時の検出電圧と中発光時の検出電圧の組合せ、中弱発光時の検出電圧と中発光時の検出電圧との電圧差の組合せ、などが考えられる。また、弱発光時の検出電圧と中発光時の検出電圧との電圧差の組合せを加えることも可能である。そして、少なくとも一つの組合せにおける電圧差が、予め定めた値になった時点で強発光に切り替えるようにする。これによれば、強発光への切り替えをより確実に行うことができ、より高い信頼性を得ることができる。
【００７４】
上記実施形態では、発光素子の発光強度をインクタンク２４の経過期間に応じて変更するものとしたが、インクタンク２４の経過時間以外の条件をも考慮して発光素子の発光強度を制御するようにして良い。  
【００７５】
例えば、発光素子の発光時間をＣＰＵ１００によって計測し、その計測時間が一定時間経過するごとに発光素子の発光強度を高めるようにしてもよい。さらに、インクタンク２４あるいはインクジェット記録装置の周囲の環境温度を検出する環境センサを設け、その環境温度に基づいて前記発光素子の発光強度を制御することも可能である。さらに、記録装置の本体部またはインクタンク２４の基準となる使用姿勢に対し、現在のインクタンク２４の使用姿勢が傾いていると、図２０に示すようにインク無しの水位に達した時に、残りのインク残量が少なくなる場合がある。その場合、記録ヘッド２５が空気を吸い込む可能性が高くなるため、より速い検知が求められる。よってどの程度傾いているかを検出する傾き検出手段を設け、その検出結果に基づき発光素子の発光強度を変化させるようにしてもよい。図２０（ａ）が理想のインクタンク２４設置状態とすると、図２０（ｂ）、（ｃ）はインクタンク２４が水平面に対して傾いているため、インクタンク２４の開口端８ａから空気が入り込みやすくなってしまっている。このような状態であると、プリズム１４に付着したインクの影響により、インク無しの検知タイミングが遅くなってしまった場合、空気を開口端８ａから吸い込んでしまうおそれがある。これを避けるため、インクタンク２４又はインクジェット記録装置本体が所定角度以上傾いていると傾き検出手段が検出した場合に、発光ダイオード３０の発光強度を上げるようにＣＰＵ１００が制御するようにしてもよい。
【００７６】
このように、インクタンク２４の経過時間以外の条件を考慮して発光強度を制御するようにすれば、より高精度にインクの有無を検出することが可能になる。
【００７７】
また、上記実施形態においては、インクタンク２４の液室の底部を形成する傾斜面７と同一もしくはそれ以下となる位置に反射体としてのプリズム１４の反射面１４ａを配置することによって液室内のインクが無くなったか否かを検出するようにした。しかしながら、本発明は、インクタンク２４あるいは液室内のインクの有無を検出するものに限定されない。すなわち、本発明はインクタンク２４内のインク残量が所定量より少なくなったか否かを検出するものであり、反射体を設ける位置によって検出の基準とするインク残量（所定量）は種々変更可能である。例えば、インク残量が、インクタンク２４の容積の２０パーセント、３０パーセントあるいは５０パーセント未満になったか否かを検出するようにすることも可能であり、前述の所定量は任意に設定可能である。
【符号の説明】
【００７８】
１  ヘッド
２  キャップ
６  液室  
７  液室内傾斜部
８  インク供給流路
９  インク供給口
１０  大気連通流路
１１  大気連通口
１４  プリズム
１８  光センサ
２１  インク
２２  インク膜
２３  本体部
２４  インクタンク
３０  発光ダイオード（発光素子）
４０  フォトトランジスタ（受光素子）
ＩＦ  順電流
Ｉｃ  光電流
Ｖｏ  出力電圧
【図１】
0005357218.tif 000002
【図２】
0005357218.tif 000003
【図３】
0005357218.tif 000004
【図４】
0005357218.tif 000005
【図５】
0005357218.tif 000006
【図６】
0005357218.tif 000007
【図７】
0005357218.tif 000008
【図８】
0005357218.tif 000009
【図９】
0005357218.tif 000010
【図１０】
0005357218.tif 000011
【図１１】
0005357218.tif 000012
【図１２】
0005357218.tif 000013
【図１３】
0005357218.tif 000014
【図１４】
0005357218.tif 000015
【図１５】
0005357218.tif 000016
【図１６】
0005357218.tif 000017
【図１７】
0005357218.tif 000018
【図１８】
0005357218.tif 000019
【図１９】
0005357218.tif 000020
【図２０】
0005357218.tif 000021